【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
フィードフォワード形歪補償増幅回路の増幅歪をキャンセルさせるために位相調整を行う電圧制御可変移相器であって、
入力信号を９０°の位相差をもった二つの信号に分配出力する９０°位相分配器と、
該分配された前記二つの信号の一方を位相設定電圧による制御に従い増幅する第一の電圧制御可変利得増幅器と、
前記分配された前記二つの信号の他方をＡＧＣ制御電圧による制御に従い増幅する第二の電圧制御可変利得増幅器と、
該第一、第二の電圧制御可変利得増幅器の各出力を合成して出力する合成器と、
該合成器の合成出力を位相調整された出力として出力させる結合器と、
該結合器で取り出された前記合成器の出力の一部を検波増幅して前記合成器の出力レベルに比例した直流電圧に変換してＡＧＣ制御電圧として出力するＡＧＣ検波増幅器と、
前記位相設定電圧を出力する位相設定電圧発生器とを備え、
前記第一の電圧制御可変利得増幅器の出力が前記二つの信号の一方の位相でのベクトルＡに設定され、前記第二の電圧制御可変利得増幅器の出力が前記二つの信号の他方の位相でのベクトルＢにＡＧＣ制御され、前記ベクトルＡと前記ベクトルＢの合成されたベクトルＣの位相θは前記ベクトルＡの値に従って０°〜９０°の間に設定され、前記ベクトルＣの電力Ｐθは前記ベクトルＢの値に従って前記０°〜９０°の間の円弧軌跡を辿る一定の電力とされるように構成された電圧制御可変移相器。
【請求項２】
フィードフォワード形歪補償増幅回路の増幅歪をキャンセルさせるために位相調整を行う電圧制御可変移相器であって、
入力信号を９０°の位相差をもった二つの信号に分配出力する９０°位相分配器と、
該分配された前記二つの信号の一方を位相設定電圧による制御に従い増幅する第一の電圧制御可変利得増幅器と、
前記分配された前記二つの信号の他方をオフセットＡＧＣ制御電圧による制御に従い増幅する第二の電圧制御可変利得増幅器と、
該第一、第二の電圧制御可変利得増幅器の各出力を合成して出力する合成器と、
該合成器の合成出力を位相調整された出力として出力させる結合器と、
該結合器で取り出された前記合成器の出力の一部を検波増幅して前記合成器の出力レベルに比例した直流電圧に変換してＡＧＣ制御電圧として出力するＡＧＣ検波増幅器と、
前記オフセットのための直流電圧であるオフセット電圧を発生させる利得設定制御電圧発生器と、
前記ＡＧＣ制御電圧に前記オフセット電圧を加算しオフセットＡＧＣ制御電圧を出力する加算器と、
前記位相設定電圧を出力する位相設定電圧発生器とを備え、
前記第一の電圧制御可変利得増幅器の出力が前記二つの信号の一方の位相での変更されたベクトルＡ’に設定され、前記第二の電圧制御可変利得増幅器の出力が前記二つの信号の他方の位相でのベクトルＢ’にオフセットＡＧＣ制御され、前記ベクトルＡ’と前記ベクトルＢ’の合成されたベクトルＣ’の位相θは前記ベクトルＡ’の値に従って０°〜９０°の間に設定され、前記ベクトルＣ’の電力Ｐ’θは前記ベクトルＢ’の値に従って０°〜９０°の間の円弧軌跡を辿る一定の電力とされるように構成された電圧制御可変移相器。
【手続補正２】
【補正対象書類名】明細書
【補正対象項目名】０００７
【補正方法】変更
【補正の内容】
【０００７】
この目的を達成するために、電圧制御可変移相器は、フィードフォワード形歪補償増幅回路の増幅歪をキャンセルさせるために位相調整を行う電圧制御可変移相器であって、
入力信号を９０°の位相差をもった二つの信号に分配出力する９０°位相分配器と、
該分配された前記二つの信号の一方を位相設定電圧による制御に従い増幅する第一の電圧制御可変利得増幅器と、
前記分配された前記二つの信号の他方をＡＧＣ制御電圧による制御に従い増幅する第二の電圧制御可変利得増幅器と、
該第一、第二の電圧制御可変利得増幅器の各出力を合成して出力する合成器と、
該合成器の合成出力を位相調整された出力として出力させる結合器と、
該結合器で取り出された前記合成器の出力の一部を検波増幅して前記合成器の出力レベルに比例した直流電圧に変換してＡＧＣ制御電圧として出力するＡＧＣ検波増幅器と、
前記位相設定電圧を出力する位相設定電圧発生器とを備え、
前記第一の電圧制御可変利得増幅器の出力が前記二つの信号の一方の位相でのベクトルＡに設定され、前記第二の電圧制御可変利得増幅器の出力が前記二つの信号の他方の位相でのベクトルＢにＡＧＣ制御され、前記ベクトルＡと前記ベクトルＢの合成されたベクトルＣの位相θは前記ベクトルＡの値に従って０°〜９０°の間に設定され、前記ベクトルＣの電力Ｐθは前記ベクトルＢの値に従って前記０°〜９０°の間の円弧軌跡を辿る一定の電力とされるように構成されている。
また、電圧制御可変移相器は、フィードフォワード形歪補償増幅回路の増幅歪をキャンセルさせるために位相調整を行う電圧制御可変移相器であって、
入力信号を９０°の位相差をもった二つの信号に分配出力する９０°位相分配器と、
該分配された前記二つの信号の一方を位相設定電圧による制御に従い増幅する第一の電圧制御可変利得増幅器と、
前記分配された前記二つの信号の他方をオフセットＡＧＣ制御電圧による制御に従い増幅する第二の電圧制御可変利得増幅器と、
該第一、第二の電圧制御可変利得増幅器の各出力を合成して出力する合成器と、
該合成器の合成出力を位相調整された出力として出力させる結合器と、
該結合器で取り出された前記合成器の出力の一部を検波増幅して前記合成器の出力レベルに比例した直流電圧に変換してＡＧＣ制御電圧として出力するＡＧＣ検波増幅器と、
前記オフセットのための直流電圧であるオフセット電圧を発生させる利得設定制御電圧発生器と、
前記ＡＧＣ制御電圧に前記オフセット電圧を加算しオフセットＡＧＣ制御電圧を出力する加算器と、
前記位相設定電圧を出力する位相設定電圧発生器とを備え、
前記第一の電圧制御可変利得増幅器の出力が前記二つの信号の一方の位相での変更されたベクトルＡ’に設定され、前記第二の電圧制御可変利得増幅器の出力が前記二つの信号の他方の位相でのベクトルＢ’にオフセットＡＧＣ制御され、前記ベクトルＡ’と前記ベクトルＢ’の合成されたベクトルＣ’の位相θは前記ベクトルＡ’の値に従って０°〜９０°の間に設定され、前記ベクトルＣ’の電力Ｐ’θは前記ベクトルＢ’の値に従って０°〜９０°の間の円弧軌跡を辿る一定の電力とされるように構成されている。
【手続補正３】
【補正対象書類名】明細書
【補正対象項目名】０００９
【補正方法】変更
【補正の内容】
【０００９】
本発明の請求項１に対応する実施例を図１にその構成を、図３に信号ベクトル合成を示す。
図１において、１は入力信号を９０°の位相差をもった二つの信号（−９０°位相、０°位相）に分配出力する９０°位相分配器、２は分配された−９０°位相の信号を位相設定電圧に（ＤＣ−１）よる制御に従い増幅する第一の電圧制御可変利得増幅器、３は分配された０°位相の信号をＡＧＣ制御電圧（ＤＣ−２）による制御に従い増幅する第二の電圧制御可変利得増幅器、４は第一、第二の電圧制御可変利得増幅器（２、３）の各出力（Ａ、Ｂ）を合成して出力信号（Ｃ）とする合成器、５は結合器６で取り出された合成器４の出力の一部を検波増幅して合成器４の出力レベル（Ｃ）に比例した直流電圧に変換してＡＧＣ制御電圧（ＤＣ−２）として出力するＡＧＣ検波増幅器、６は合成器４の合成出力を位相調整された出力（Ｃ）として出力させる結合器及び７は位相設定電圧（ＤＣ−１）としての直流電圧を出力する位相設定電圧発生器であり、これらが備えられ、
位相設定電圧（ＤＣ−１）は第一の電圧制御可変利得増幅器２に制御信号として入力され、第一の電圧制御可変利得増幅器２の出力が−９０°位相でレベル調整されてベクトルＡに設定され、
ＡＧＣ制御電圧（ＤＣ−２）は第二の電圧制御可変利得増幅器３に入力され、第二の電圧制御可変利得増幅器３の出力が０°位相でのベクトルＢにフィードバック利得ループである自動利得制御（ＡＧＣ）の制御が行われ、
ベクトルＡとベクトルＢの合成されたベクトルＣの位相θは上記ベクトルＡの値に従って０°〜９０°の間に設定され、上記ベクトルＣの電力Ｐθは上記ベクトルＢの値に従って０°〜９０°の間の円弧軌跡を辿る一定の電力とされるように構成された電圧制御可変移相器である。